(57)【要約】【課題】ダビングモードなどの動作モードに応じて、必要な回路にのみ電力を供給し、使用していない回路への電力供給を停止あるいは制限する記録再生装置を提供する。【解決手段】記録再生装置１０は、システムコントロール部２０を備え、システムコントロール部２０は、記録再生装置１０の動作モードを設定し、設定した動作モードに係る回路にのみ電力供給し且つ該回路以外の他の回路への電力供給を停止あるいは制限するように制御する。システムコントロール部２０は、前記動作モードとして、ＨＤＤ１７に記録されたコンテンツをＤＶＤ１８にダビングするダビングモード（例えば、レート変換ダビング）を設定した場合、レート変換ダビングモードに係る回路（エンコーダ１３、デコーダ１４、ＨＤＤ  ＤＶＤ  Ｉ／Ｆ１６、入力切替部２６，２７）に電力供給し且つ該回路以外の他の回路への電力供給を停止あるいは制限するように制御する。【選択図】図２
2007066478.tif 000002
【特許請求の範囲】
【請求項１】
コンテンツの記録再生を行う記録再生装置において、該記録再生装置の動作モードを設定する動作モード設定手段と、該設定された動作モードに係る回路にのみ電力供給し且つ該回路以外の他の回路への電力供給を停止あるいは制限するように制御する電力供給制御手段と、を備えていることを特徴とする記録再生装置。
【請求項２】
請求項１に記載の記録再生装置において、前記動作モード設定手段は、前記動作モードとして、記録媒体に記録されたコンテンツを他の記録媒体にダビングするダビングモードを設定し、前記電力供給制御手段は、前記動作モード設定手段により設定されたダビングモードに係る回路にのみ電力供給し且つ該回路以外の他の回路への電力供給を停止あるいは制限するように制御することを特徴とする記録再生装置。
【請求項３】
請求項２に記載の記録再生装置において、前記動作モード設定手段は、再符号化せずにダビングを行う第１のダビングモードと、再符号化してダビングを行う第２のダビングモードと、ダビング予約してダビングを行う第３のダビングモードとのいずれかのダビングモードを設定可能としたことを特徴とする記録再生装置。
【請求項４】
請求項３に記載の記録再生装置において、前記記録媒体に記録されたコンテンツを復号する復号手段と、該復号したコンテンツを再符号化する符号化手段と、再符号化された前記記録媒体のコンテンツあるいは再符号化されていない前記記録媒体のコンテンツを前記他の記録媒体にダビングするためのインタフェース手段と、を備え、前記第１のダビングモードが設定されたときに、前記インタフェース手段に係る回路に電力供給し且つ前記復号手段及び前記符号化手段に係る回路への電力供給を停止あるいは制限し、前記記録媒体に記録されたコンテンツを前記他の記録媒体にそのままダビングすることを特徴とする記録再生装置。
【請求項５】
請求項３に記載の記録再生装置において、前記記録媒体に記録されたコンテンツを復号する復号手段と、該復号したコンテンツを再符号化する符号化手段と、再符号化された前記記録媒体のコンテンツあるいは再符号化されていない前記記録媒体のコンテンツを前記他の記録媒体にダビングするためのインタフェース手段と、を備え、前記第２のダビングモードが設定されたときに、前記復号手段と前記符号化手段と前記インタフェース手段に係る回路に電力供給し、前記記録媒体に記録されたコンテンツを再符号化して前記他の記録媒体にダビングすることを特徴とする記録再生装置。
【請求項６】
請求項３に記載の記録再生装置において、前記記録媒体に記録されたコンテンツを復号する復号手段と、該復号したコンテンツを再符号化する符号化手段と、再符号化された前記記録媒体のコンテンツあるいは再符号化されていない前記記録媒体のコンテンツを前記他の記録媒体にダビングするためのインタフェース手段と、ダビング予約されたダビング開始時刻を計時する計時手段と、を備え、前記第３のダビングモードが設定されたときに、前記計時手段に係る回路にのみ電力供給し、前記ダビング開始時刻になったときに、前記第１のダビングモードあるいは前記第２のダビングモードのいずれかのダビングモードに係る回路に電力供給し且つ該回路以外の他の回路への電力供給を停止あるいは制限することを特徴とする記録再生装置
【請求項７】
請求項２乃至６のいずれか１に記載の記録再生装置において、外部の表示装置と接続する手段と、各種情報を表示するための表示手段と、を備え、前記動作モード設定手段は、ダビングモードを設定させるためのダビングモード設定画面を前記表示装置に表示させ、その設定状態を前記表示手段に表示することを特徴とする記録再生装置。
【請求項８】
請求項１に記載の記録再生装置において、前記動作モード設定手段は、前記動作モードとして、記録媒体にコンテンツを記録する記録モードを設定し、前記電力供給制御手段は、前記動作モード設定手段により設定された記録モードに係る回路にのみ電力供給し且つ該回路以外の他の回路への電力供給を停止あるいは制限するように制御することを特徴とする記録再生装置。
【請求項９】
請求項１に記載の記録再生装置において、前記動作モード設定手段は、前記動作モードとして、記録媒体に記録されたコンテンツを再生する再生モードを設定し、前記電力供給制御手段は、前記動作モード設定手段により設定された再生モードに係る回路にのみ電力供給し且つ該回路以外の他の回路への電力供給を停止あるいは制限するように制御することを特徴とする記録再生装置。
【請求項１０】
請求項１に記載の記録再生装置において、前記動作モード設定手段は、前記動作モードとして、記録媒体に記録されたコンテンツを他の記録媒体に移動する移動モードを設定し、前記電力供給制御手段は、前記動作モード設定手段により設定された移動モードに係る回路にのみ電力供給し且つ該回路以外の他の回路への電力供給を停止あるいは制限するように制御することを特徴とする記録再生装置。
【発明の詳細な説明】
【技術分野】
【０００１】
本発明は、記録再生装置、より詳細には、ダビングモードなどの動作モードに応じて各回路への電力供給を制御する機能を備えた記録再生装置に関する。
【背景技術】
【０００２】
地上波デジタル放送、ＢＳデジタル放送、ＣＳデジタル放送などのデジタル放送においては、デジタル標準放送（ＳＤ放送）、あるいは、高画質・高音質なデジタルハイビジョン放送（ＨＤ放送）などの放送方式で番組が提供されている。デジタル放送における動画の符号化／復号化の方式として、例えば、ＭＰＥＧ（Ｍｏｖｉｎｇ  Ｐｉｃｔｕｒｅ  Ｅｘｐｅｒｔｓ  Ｇｒｏｕｐ）方式が一般に用いられている。このＭＰＥＧ方式によれば、広範囲なアプリケーションに対応できるように、１つのストリームの中に１つのプログラムを格納して構成されたプログラムストリーム（ＰＳ）、１つのストリームの中に複数のプログラムを格納して構成されたトランスポートストリーム（ＴＳ）が規定されている。
【０００３】
最近では、上記ＰＳあるいはＴＳを記録するために、ハードディスクドライブ（ＨＤＤ）とＤＶＤドライブの両方を内蔵した記録再生装置が一般的になっている。このような記録再生装置は、ＨＤＤ（またはＤＶＤ）に記録されているコンテンツを、ＤＶＤ（またはＨＤＤ）にダビングする機能を備えている。
【０００４】
ここで、最近の液晶テレビジョン装置等の電子機器には、地球環境に配慮して、消費電力を抑えるための様々な工夫がなされている。このことは、上述した記録再生装置においても例外ではなく、例えば、特許文献１や特許文献２に示すような、省電力化のための技術が提案されている。特許文献１に記載の発明は、ＨＤ系統とＤＶＤ系統の動作状況を把握して、一方又は両方の系統の電源供給を停止あるいは省電力化して装置の消費電力を抑えるようにしたものである。例えば、ＨＤからの再生出力をモニタする場合、ＭＰＵがＨＤの再生を検知して電源管理部に対して、現時点で不使用のＤＶＤの信号系統への電源供給を停止させる。また、メディア検出部の検出結果によりＤＶＤが装着されていない場合、ＤＶＤの信号系統への電源供給を停止させる。また、録画予約時に所定時刻まで装置を動作させない場合、ＨＤの信号系統への電源供給を停止させる。
【０００５】
また、特許文献２に記載の発明は、複数の受信器が搭載されている記録再生装置などの機器において、受信器の使用、不使用の状態に応じて使用しない受信器への電源供給を停止して省電力化を図るようにしたものである。これは、複数の受信器により選局され受信される信号のうちのいずれの信号を再生するか、しないかを識別し、その識別結果をもとに、再生しない信号を選局し受信する受信器への電力供給を停止するように構成されている。
【特許文献１】特開２００４−１５９２２５号公報
【特許文献２】特開平１０−１０８１１５号公報
【発明の開示】
【発明が解決しようとする課題】
【０００６】
従来、記録再生装置には、例えば、ＨＤに記録したコンテンツをＤＶＤへダビングする場合、ビットレートを変換してダビングを行うレート変換ダビングと、ビットレートの変換を行わずにコピーする高速ダビングの２つのダビングモードが選択可能に設定されている。記録再生装置が備えるエンコーダ、デコーダには電力が常時供給されているため、高速ダビング時においてエンコーダ、デコーダを動作させる必要がない場合でも、これらの使用していない回路に対して電力が供給され、無駄に電力を消費してしまっている。
【０００７】
しかしながら、上述した特許文献１及び特許文献２に記載されている従来の記録再生装置は、使用されていない記録媒体（ＨＤ、ＤＶＤ）の系統や、チューナ系統の省電力化を目的としており、ダビング時における消費電力の低減化については考慮されていなかった。
【０００８】
本発明は、上述のごとき実情に鑑みてなされたものであり、ダビングモードなどの動作モードに応じて、必要な回路にのみ電力を供給し、使用していない回路への電力供給を停止あるいは制限する記録再生装置を提供すること、を目的とする。
【課題を解決するための手段】
【０００９】
上記課題を解決するために、本発明の第１の技術手段は、コンテンツの記録再生を行う記録再生装置において、該記録再生装置の動作モードを設定する動作モード設定手段と、該設定された動作モードに係る回路にのみ電力供給し且つ該回路以外の他の回路への電力供給を停止あるいは制限するように制御する電力供給制御手段と、を備えていることを特徴としたものである。
【００１０】
第２の技術手段は、第１の技術手段において、前記動作モード設定手段は、前記動作モードとして、記録媒体に記録されたコンテンツを他の記録媒体にダビングするダビングモードを設定し、前記電力供給制御手段は、前記動作モード設定手段により設定されたダビングモードに係る回路にのみ電力供給し且つ該回路以外の他の回路への電力供給を停止あるいは制限するように制御することを特徴としたものである。
【００１１】
第３の技術手段は、第２の技術手段において、前記動作モード設定手段は、再符号化せずにダビングを行う第１のダビングモードと、再符号化してダビングを行う第２のダビングモードと、ダビング予約してダビングを行う第３のダビングモードとのいずれかのダビングモードを設定可能としたことを特徴としたものである。
【００１２】
第４の技術手段は、第３の技術手段において、前記記録媒体に記録されたコンテンツを復号する復号手段と、該復号したコンテンツを再符号化する符号化手段と、再符号化された前記記録媒体のコンテンツあるいは再符号化されていない前記記録媒体のコンテンツを前記他の記録媒体にダビングするためのインタフェース手段と、を備え、前記第１のダビングモードが設定されたときに、前記インタフェース手段に係る回路に電力供給し且つ前記復号手段及び前記符号化手段に係る回路への電力供給を停止あるいは制限し、前記記録媒体に記録されたコンテンツを前記他の記録媒体にそのままダビングすることを特徴としたものである。
【００１３】
第５の技術手段は、第３の技術手段において、前記記録媒体に記録されたコンテンツを復号する復号手段と、該復号したコンテンツを再符号化する符号化手段と、再符号化された前記記録媒体のコンテンツあるいは再符号化されていない前記記録媒体のコンテンツを前記他の記録媒体にダビングするためのインタフェース手段と、を備え、前記第２のダビングモードが設定されたときに、前記復号手段と前記符号化手段と前記インタフェース手段に係る回路に電力供給し、前記記録媒体に記録されたコンテンツを再符号化して前記他の記録媒体にダビングすることを特徴としたものである。
【００１４】
第６の技術手段は、第３の技術手段において、前記記録媒体に記録されたコンテンツを復号する復号手段と、該復号したコンテンツを再符号化する符号化手段と、再符号化された前記記録媒体のコンテンツあるいは再符号化されていない前記記録媒体のコンテンツを前記他の記録媒体にダビングするためのインタフェース手段と、ダビング予約されたダビング開始時刻を計時する計時手段と、を備え、前記第３のダビングモードが設定されたときに、前記計時手段に係る回路にのみ電力供給し、前記ダビング開始時刻になったときに、前記第１のダビングモードあるいは前記第２のダビングモードのいずれかのダビングモードに係る回路に電力供給し且つ該回路以外の他の回路への電力供給を停止あるいは制限することを特徴としたものである。
【００１５】
第７の技術手段は、第２乃至第６のいずれか１の技術手段において、外部の表示装置と接続する手段と、各種情報を表示するための表示手段と、を備え、前記動作モード設定手段は、ダビングモードを設定させるためのダビングモード設定画面を前記表示装置に表示させ、その設定状態を前記表示手段に表示することを特徴としたものである。
【００１６】
第８の技術手段は、第１の技術手段において、前記動作モード設定手段は、前記動作モードとして、記録媒体にコンテンツを記録する記録モードを設定し、前記電力供給制御手段は、前記動作モード設定手段により設定された記録モードに係る回路にのみ電力供給し且つ該回路以外の他の回路への電力供給を停止あるいは制限するように制御することを特徴としたものである。
【００１７】
第９の技術手段は、第１の技術手段において、前記動作モード設定手段は、前記動作モードとして、記録媒体に記録されたコンテンツを再生する再生モードを設定し、前記電力供給制御手段は、前記動作モード設定手段により設定された再生モードに係る回路にのみ電力供給し且つ該回路以外の他の回路への電力供給を停止あるいは制限するように制御することを特徴としたものである。
【００１８】
第１０の技術手段は、第１の技術手段において、前記動作モード設定手段は、前記動作モードとして、記録媒体に記録されたコンテンツを他の記録媒体に移動する移動モードを設定し、前記電力供給制御手段は、前記動作モード設定手段により設定された移動モードに係る回路にのみ電力供給し且つ該回路以外の他の回路への電力供給を停止あるいは制限するように制御することを特徴としたものである。
【発明の効果】
【００１９】
本発明によれば、ダビングモードなどの動作モードに応じて、必要な回路にのみ電力を供給し、使用していない回路への電力供給を停止あるいは制限させることができるため、ダビング時などにおいて省電力化を図り、記録再生装置の消費電力を低減することができる。
【発明を実施するための最良の形態】
【００２０】
図１は、本発明の一実施形態に係る記録再生装置の構成例を示すブロック図で、図中、１０は記録再生装置で、該記録再生装置１０は、アナログ放送信号を受信するためのアナログ放送受信部１１と、デジタル放送信号を受信するためのデジタル放送受信部１２と、放送信号をＭＰＥＧ形式等で符号化するエンコーダ１３と、符号化された放送信号を復号するデコーダ１４と、放送信号の表示を制御する表示制御部１５と、ＨＤＤ  ＤＶＤ  インタフェース（ＨＤＤ  ＤＶＤ  Ｉ／Ｆ）１６と、ハードディスクドライブ（以下、ＨＤＤという）１７と、ＤＶＤドライブ（以下、ＤＶＤという）１８と、映像信号に重畳させる文字情報を生成するＯＳＤ（Ｏｎ  Ｓｃｒｅｅｎ  Ｄｉｓｐｌａｙ）生成部１９と、各部を制御するためのマイクロコンピュータ（マイコン）からなるシステムコントロール部２０と、図示しないリモコンからの信号を受光するためのユーザ操作インタフェース（リモコンＩ／Ｆ）２１と、各種予約処理（ダビング予約など）を行う際に開始時刻（及び終了時刻）を計時するタイマ（計時手段）２２と、不揮発性メモリ等の記憶部２３と、ＬＣＤ等で構成された本体表示部２４と、を備えている。
【００２１】
なお、ＤＶＤドライブ１８は、ＤＶＤ以外の外部記録媒体（例えば、ＣＤやメモリカードなど）を読み書きする手段であってもよい。また、アナログ放送受信部１１及びデジタル放送受信部１２は、複数の異なるチューナを備える構成としてもよく、例えば、地上波チューナ、ＢＳチューナ、ＣＳチューナなどで構成するようにしてもよい。
【００２２】
図１において、アナログ放送の視聴の場合、アンテナから入力された高周波信号（アナログ変調信号）がアナログ放送受信部１１で復調され、表示制御部１５に入力される。表示制御部１５は、ＯＳＤ生成部１９からの入力を合成して表示制御出力信号を生成し、その表示制御出力信号を外部の表示装置の画面に出力する。これにより、ユーザは表示制御出力信号に対応したアナログ放送番組を視聴することができる。
【００２３】
また、デジタル放送の視聴の場合、アンテナから入力された高周波信号（デジタル変調信号）がデジタル放送受信部１２で復調され、さらに、デコーダ１４において、映像信号、音声信号に復号された後、表示制御部１５に入力される。表示制御部１５は、ＯＳＤ生成部１９からの入力を合成して表示制御出力信号を生成し、その表示制御出力信号を外部の表示装置の画面に出力する。これにより、ユーザは表示制御出力信号に対応したデジタル放送番組を視聴することができる。なお、本実施形態では、アナログ放送受信部１１とデジタル放送受信部１２の両方を備える構成としているが、いずれか一方の受信部を備える構成としてもよい。
【００２４】
アナログ放送番組を記録する場合、アンテナから入力された高周波信号（アナログ変調信号）がアナログ放送受信部１１で復調され、さらに、エンコーダ１３において符号化される。符号化されたデータは、ＨＤＤ  ＤＶＤ  Ｉ／Ｆ１６において記録に適した形式（ストリーム）に変換されてＨＤＤ１７又はＤＶＤ１８にコンテンツ（映像データ及び音声データ含む）として記録される。
【００２５】
また、デジタル放送番組を記録する場合、アンテナから入力された高周波信号（デジタル変調信号）がデジタル放送受信部１２で復調され、ＨＤＤ  ＤＶＤ  Ｉ／Ｆ１６を経由して、ＨＤＤ１７又はＤＶＤ１８にコンテンツ（映像データ及び音声データ含む）として記録される。
【００２６】
再生動作を行う場合、ＨＤＤ１７又はＤＶＤ１８に記録されたコンテンツは、ＨＤＤ  ＤＶＤ  Ｉ／Ｆ１６を経由して、デコーダ１４に入力され、デコーダ１４において出力可能な形式に復号されて表示制御部１５から出力される。
【００２７】
高速ダビングを行う場合、ＨＤＤ１７又はＤＶＤ１８に記録されたコンテンツは、他のＤＶＤ又はＨＤＤにコピー（又はムーブ）される。この高速ダビングモードでは、データのフォーマットを変換せずに単にコピー（又はムーブ）を行う。従って、転送レートを上げてダビングすることができるために高速である。しかし、コンテンツによっては高速ダビングができるものと、できないものが存在するため、その可否を判定する必要がある。この処理はシステムコントロール部２０が行う。例えば、ＤＶＤ１８は、放送番組を録画する際に、ＤＶＤに直接書き込めるフォーマット（ＰＳ）で記録した場合、システムコントロール部２０は高速ダビングが行えると判断する。これに対して、デジタル放送番組のフォーマット（ＴＳ）をそのままＨＤＤ１７に記録した場合、システムコントロール部２０は高速ダビングが行えないと判断する。
【００２８】
フォーマット変換を伴うダビングの場合（その１）、ＨＤＤ１７又はＤＶＤ１８に記録されたコンテンツを、ＨＤＤ  ＤＶＤ  Ｉ／Ｆ１６でフォーマット変換した後に、他のＨＤＤ又はＤＶＤにコピー（又は移動）を行う。このダビングモードは、特にＤＶＤへのダビングに適したフォーマットに変換する。例えば、デジタル放送番組のフォーマット（ＴＳ）をそのままＨＤＤ１７に記録した場合、ＴＳからＰＳへのフォーマット変換を行い、ＤＶＤへのダビングを行う。この場合、コンテンツをエンコーダ１３で再符号化する必要がなく、フォーマット変換のみでＤＶＤへのダビングに適したフォーマット（ＰＳ）が得られるため、比較的高速なダビング処理が行える。
【００２９】
フォーマット変換を伴うダビングの場合（その２）、ＨＤＤ１７又はＤＶＤ１８に記録されたコンテンツを、ＨＤＤ  ＤＶＤ  Ｉ／Ｆ１６、デコーダ１４に入力し、ＨＤＤ  ＤＶＤ  Ｉ／Ｆ１６、デコーダ１４を経由して、一旦復号されたコンテンツをエンコーダ１３に入力し、再符号化を行い、さらに、ＨＤＤ  ＤＶＤ  Ｉ／Ｆ１６を経由して、他のＨＤＤ又はＤＶＤに記録する。例えば、ＤＶＤ１８を用いて、放送番組を録画する際のフォーマット（ＰＳ）であっても、録画モード（ビットレートや解像度など）を変更してダビングしたい場合、上記のように再符号化を伴うダビングを行う。
【００３０】
また、本実施形態の記録再生装置１０は、ＨＤＤ１７又はＤＶＤ１８に記録されたコンテンツをダビング予約して他の記録媒体（ＨＤＤ又はＤＶＤなど）にダビングするダビング予約機能を備えるようにしてもよい。
【００３１】
以下、記録再生装置１０が備えるダビング予約機能の概要について説明する。ＨＤＤ１７又はＤＶＤ１８に記録されたコンテンツからダビング対象のコンテンツを選択させるための選択画面を表示させ、その選択画面から選択されたコンテンツに対してダビング予約を行うための予約画面を表示させる。これらの選択画面や予約画面は、ＯＳＤ生成部１９、システムコントロール部２０により生成され、表示制御部１５に入力される。表示制御部１５は、ＯＳＤ生成部１９からの選択画面や予約画面を表示制御する。また、選択画面や予約画面に対する指示入力は、図示しないリモコンなどの入力装置及びユーザ操作Ｉ／Ｆ２１を用いて行うことができる。ユーザはリモコンなどの入力装置を操作して。その操作情報をユーザ操作Ｉ／Ｆ２１を介して入力する。
【００３２】
システムコントロール部２０は、上記予約画面からユーザによりダビング開始時刻が指定されると、指定されたダビング開始時刻でダビング予約を行う。このダビング開始時刻は、ユーザが入力指定するものであるが、例えば、○時×分のように直接開始時刻を指定させる。計時手段２２は、ユーザから入力指定されたダビング開始時刻を計時する。さらに、システムコントロール部２０は、ダビング開始時刻になったときに、上記選択画面で選択されたコンテンツを指定された記録媒体にダビングするように指示する。
【００３３】
本発明の記録再生装置１０は、記録再生装置１０の動作モード、例えば、ダビングモード、ムーブ（移動）モード、記録モード、再生モードなどを設定する動作モード設定手段と、設定された動作モードに係る回路にのみ電力供給し且つ該回路以外の他の回路への電力供給を停止あるいは制限するように制御する電力供給制御手段と、を備えている。動作モード設定手段は、システムコントロール部２０、ＯＳＤ生成部１９、及び表示制御部１５により実現される。また、電力供給制御手段は、システムコントロール部２０により実現され、動作モードに応じて、記録再生装置１０を構成する各部の回路への電力供給を制御する。
【００３４】
以下、記録再生装置１０の動作モードとして、ダビングモードが設定された場合を例に説明する。この場合、動作モード設定手段は、再符号化せずにダビングを行う高速ダビングモード、再符号化してダビングを行うレート変換ダビングモード、ダビング予約してダビングを行うダビング予約モードのいずれかのダビングモードを設定可能とする。この際、システムコントロール部２０からの制御に従って、ＯＳＤ生成部１９は、上記ダビングモードを設定するための設定画面情報を生成し、表示制御部１５は、設定画面情報を外部表示装置に表示させるように制御する。なお、コンテンツをムーブするムーブモードが設定された場合も、ダビングモードと同様に動作するが、ムーブ元の記録媒体からコンテンツが消去される点がダビングモードと異なる。
【００３５】
図２は、図１に示した記録再生装置１０の主要部における電力供給の状態の一例を示すブロック図で、記録再生装置１０は、エンコーダ１３、デコーダ１４、ＨＤＤ  ＤＶＤ  Ｉ／Ｆ１６、ＨＤＤ１７、ＤＶＤ１８、システムコントロール部２０、さらに、入力された放送信号のうち映像信号を３次元ＹＣ分離処理する３次元ＹＣ分離部２５と、入力を切り替えるための入力切替部２６，２７と、入力された放送信号のうち音声信号をアナログ／デジタル変換するＡＤＣ２８と、デコーダ１４で復号された音声信号をデジタル／アナログ変換するＤＡＣ２９と、を備えている。本実施形態は、レート変換ダビングモードが設定されたときの電力供給の状態を示す。システムコントロール部２０は、図中ハッチングで示すエンコーダ１３、デコーダ１４、ＨＤＤ  ＤＶＤ  Ｉ／Ｆ１６、入力切替部２６、入力切替部２７に電力が供給されるように制御し、その他の回路、すなわち、３次元ＹＣ分離部２５、ＡＤＣ２８、ＤＡＣ２９への電力供給を停止あるいは制限するように制御する。
【００３６】
図２において、レート変換ダビングモードが設定されると、システムコントロール部２０から入力切替部２６，２７へダビング選択信号が入力され、入力切替部２６を“Ｌ“側へ、入力切替部２７を”Ｈ“側へ切り替える。ＨＤＤ１７又はＤＶＤ１８に記録されたコンテンツは、ＨＤＤ  ＤＶＤ  Ｉ／Ｆ１６を介してデコーダ１４に入力され、デコーダ１４で映像信号，音声信号それぞれに一旦復号される。復号された映像信号は、入力切替部２６に入力され、一方、復号された音声信号は、入力切替部２７に入力される。入力切替部２６からの映像信号及び入力切替部２７からの音声信号はエンコーダ１３に入力され、エンコーダ１３で再符号化される。そして、再符号化された映像信号及び音声信号は、ＨＤＤ  ＤＶＤ  Ｉ／Ｆ１６を介して他の記録媒体にダビングされる。
【００３７】
図３は、図１に示した記録再生装置１０の主要部における電力供給の状態の他の例を示すブロック図である。本実施形態は、高速ダビングモードが設定されたときの電力供給の状態を示す。システムコントロール部２０は、図中ハッチングで示すＨＤＤ  ＤＶＤ  Ｉ／Ｆ１６に電力が供給されるように制御し、その他の回路、すなわち、エンコーダ１３、デコーダ１４、入力切替部２６，２７、３次元ＹＣ分離部２５、ＡＤＣ２８、ＤＡＣ２９への電力供給を停止あるいは制限するように制御する。
【００３８】
高速ダビングモードの場合、ＨＤＤ  ＤＶＤ  Ｉ／Ｆ１６が、例えば、ＨＤＤ１７からＤＶＤ１８へコンテンツをコピーする処理を行うだけでよく、他の回路は使用されていない状態となる。そこで、上述したエンコーダ１３、デコーダ１４、入力切替部２６，２７、３次元ＹＣ分離部２５、ＡＤＣ２８、ＤＡＣ２９への電力供給を停止あるいは制限するように制御することで省電力化を図り、記録再生装置１０の消費電力を低減することができる。
【００３９】
また、ダビング予約モードが設定された場合、システムコントロール部２０は、図１に示した計時手段２２にのみ電力が供給されるように制御する。そして、ダビング開始時刻になったときに、上述したレート変換ダビングモードあるいは高速ダビングモードのいずれかのダビングモードに係る回路に電力が供給されるように制御し、当該回路以外の他の回路への電力供給を停止あるいは制限するように制御する。
【００４０】
図４は、図１に示した記録再生装置１０の主要部における電力供給の状態の他の例を示すブロック図である。本実施形態は、タイマ録画モードにおける電力供給の状態を示す。システムコントロール部２０は、図中ハッチングで示す３次元ＹＣ分離部２５、入力切替部２６，２７、エンコーダ１３、ＨＤＤ  ＤＶＤ  Ｉ／Ｆ１６、ＡＤＣ２８に電力が供給されるように制御し、その他の回路、すなわち、再生側のデコーダ１４、ＤＡＣ２９への電力供給を停止あるいは制限するように制御する。
【００４１】
タイマ録画などの録画モードの場合、録画側の回路のみが動作すればよく、再生側の回路は使用されていない状態となる。また、逆に、再生モードの場合、再生側の回路のみが動作すればよく、録画側の回路は使用されていない状態となる。そこで、本実施形態の記録再生装置１０は、いずれかのモード（録画モード、再生モード）に応じて、各回路への電力供給を制御するようにしてもよい。なお、録画モード、再生モードの設定は、例えば、図示しないリモコンに設けられている録画ボタン、再生ボタンが押下されたことをトリガとして設定するようにしてもよい。
【００４２】
例えば、録画モードの場合、システムコントロール部２０から入力切替部２６，２７へ選択信号が入力されると、入力切替部２６を“Ｈ“側へ、入力切替部２７を”Ｌ“側へ切り替える。入力された放送信号がアナログ放送信号の場合、映像信号は３次元ＹＣ分離部２５に入力され、３次元ＹＣ分離処理部２５で３次元ＹＣ分離処理が施される。その後、映像信号は入力切替部２６を介してエンコーダ１３に入力される。一方、音声信号はＡＤＣ２８に入力され、ＡＤＣ２８でアナログ／デジタル変換処理が施される。その後、音声信号は入力切替部２７を介してエンコーダ１３に入力される。そして、映像信号と音声信号は、エンコーダ１３で符号化された後、ＨＤＤ  ＤＶＤ  Ｉ／Ｆ１６を介してＨＤＤ１７又はＤＶＤ１８に記録される。
【００４３】
また、入力された放送信号がデジタル放送信号の場合、映像信号は３次元ＹＣ分離部２５に入力され、３次元ＹＣ分離処理部２５で３次元ＹＣ分離処理が施される。その後、映像信号は入力切替部２６を介してＨＤＤ  ＤＶＤ  Ｉ／Ｆ１６に入力される。一方、音声信号は入力切替部２７を介してＨＤＤ  ＤＶＤ  Ｉ／Ｆ１６に入力される。そして、映像信号と音声信号は、ＨＤＤ  ＤＶＤ  Ｉ／Ｆ１６を介してＨＤＤ１７又はＤＶＤ１８に記録される。
【００４４】
デコーダ１４とＤＡＣ２９は、録画モードでは必要ないため、システムコントロール部２０が、これらの回路への電力供給を停止あるいは制限するように制御することで、録画モードにおいて省電力化を図ることができる。
【００４５】
また、再生時には、ＨＤＤ１７又はＤＶＤ１８に記録されたコンテンツは、デコーダ１４で復号して出力されるため、録画処理に係る回路は使用されていない状態となる。従って、再生モードの場合、システムコントロール部２０は、再生側のデコーダ１４、ＨＤＤ  ＤＶＤ  Ｉ／Ｆ１６、ＤＡＣ２９に電力が供給されるように制御し、その他の回路、すなわち、３次元ＹＣ分離部２５、入力切替部２６，２７、エンコーダ１３、ＡＤＣ２８への電力供給を停止あるいは制限するように制御する。
【００４６】
図５は、記録再生装置１０の本体表示部２４の一例を示す外観図である。記録再生装置１０は、各種情報を表示するための本体表示部２４を備え、図示しない外部の表示装置と接続されている。表示制御部１５及びＯＳＤ生成部１９は、システムコントロール部２０からの制御に基づいて、ダビングモード（すなわち、高速ダビングモード、レート変換ダビングモード、ダビング予約モードなど）を設定させるためのダビングモード設定画面を外部の表示装置に表示させ、その設定状態を本体表示部２４に表示する。本体表示部２４には、ダビング予約時やダビング動作時において、設定されているダビングモードが表示される。記録再生装置１０は、設定されたダビングモードに係る回路にのみ電力供給し且つ該回路以外の他の回路への電力供給を停止あるいは制限するように制御する。
【００４７】
以上に説明したように、本発明によれば、ダビングモードなどの動作モードに応じて、必要な回路にのみ電力を供給し、使用していない回路への電力供給を停止あるいは制限させることができるため、ダビング時などにおいて省電力化を図り、記録再生装置の消費電力を低減することができる。
【図面の簡単な説明】
【００４８】
【図１】本発明の一実施形態に係る記録再生装置の構成例を示すブロック図である。
【図２】図１に示した記録再生装置の主要部における電力供給の状態の一例を示すブロック図である。
【図３】図１に示した記録再生装置の主要部における電力供給の状態の他の例を示すブロック図である。
【図４】図１に示した記録再生装置の主要部における電力供給の状態の他の例を示すブロック図である。
【図５】記録再生装置の本体表示部の一例を示す外観図である。
【符号の説明】
【００４９】
１０…記録再生装置、１１…アナログ放送受信部、１２…デジタル放送受信部、１３…エンコーダ、１４…デコーダ、１５…表示制御部、１６…ＨＤＤ  ＤＶＤ  Ｉ／Ｆ、１７…ＨＤＤ、１８…ＤＶＤドライブ（ＤＶＤ）、１９…ＯＳＤ生成部、２０…システムコントロール部、２１…ユーザ操作インタフェース（リモコンＩ／Ｆ）、２２…タイマ（計時手段）、２３…記憶部、２４…本体表示部、２５…３次元ＹＣ分離部、２６，２７…入力切替部、２８…ＡＤＣ、２９…ＤＡＣ。
【図１】
2007066478.tif 000003
【図２】
2007066478.tif 000004
【図３】
2007066478.tif 000005
【図４】
2007066478.tif 000006
【図５】
2007066478.tif 000007